【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記入賞のうち特別入賞が発生したときに、遊技者にとって有利な特別遊技状態に制御する特別遊技状態制御手段と、
前記特別遊技状態の開始後、遊技者に付与された遊技用価値の総数である特別付与総数を計数する遊技用価値数計数手段と、
前記特別遊技状態において前記特別付与総数が所定の規定数を超えたときに該特別遊技状態を終了させる特別遊技状態終了手段と、
表示結果が導出される前に入賞の発生を許容するか否かを決定する手段であって、前記特別遊技状態において第１付与数の遊技用価値の付与を伴う第１の種類の小役入賞の発生が許容される許容決定結果のうち、前記第１付与数よりも小さい第２付与数の遊技用価値の付与を伴う第２の種類の小役入賞の発生が同時に許容されている同時許容決定結果に決定する同時決定手段と、前記許容決定結果のうち前記第２の種類の小役入賞の発生が許容されていない非同時許容決定結果に決定する非同時決定手段とを含む事前決定手段と、
遊技者が表示結果を導出させるために操作する導出操作手段と、
前記事前決定手段の決定結果および前記導出操作手段への操作に応じて、表示結果を導出させる制御を行なう導出制御手段と、
前記事前決定手段の決定結果に応じて、所定の情報を報知するための報知手段の制御を行なう報知制御手段と、
演出の制御を行なう演出制御手段とを備え、
前記特別遊技状態が終了したときにおいて、当該特別遊技状態で前記第１の種類の小役入賞が発生した回数と前記第２の種類の小役入賞が発生した回数とが特定条件を満たしているときには、該特定条件を満たしていないときよりも、当該特別遊技状態における特別付与総数と当該特別遊技状態において賭数の設定に用いられた遊技用価値の総数との差である純増数が大きくなるように、前記規定数、前記第１付与数、および前記第２付与数各々が設定されており、
さらに、前記事前決定手段により前記特別遊技状態において前記同時許容決定結果に決定されたときに、前記第２の種類の小役入賞が当該特別遊技状態で発生した発生回数が前記特定条件を満たす特定回数であるか否かを判定する判定手段を備え、
前記導出制御手段は、
前記事前決定手段により前記特別遊技状態において前記同時許容決定結果に決定されたときであって、所定の通常操作手順で前記導出操作手段が操作されたときには、前記第１の種類の小役入賞に対応する入賞表示結果を導出させる制御を行ない、前記通常操作手順とは異なる所定の特殊操作手順で前記導出操作手段が操作されたときには、前記第２の種類の小役入賞に対応する入賞表示結果を導出させる制御を行ない、
前記事前決定手段により前記特別遊技状態において前記非同時許容決定結果に決定されたときには、前記導出操作手段への操作手順に関わらず、前記第１の種類の小役入賞に対応する入賞表示結果を導出させる制御を行ない、
前記報知制御手段は、
前記事前決定手段の決定結果が前記非同時許容決定結果であるときに、前記報知手段に対して当該非同時許容決定結果に応じた特定制御を行ない、
前記事前決定手段の決定結果が前記同時許容決定結果でありかつ前記判定手段により前記発生回数が前記特定回数であると判定されたときに、前記報知手段に対して前記特定制御と同一の制御を行ない、
前記事前決定手段の決定結果が前記同時許容決定結果でありかつ前記判定手段により前記発生回数が前記特定回数でないと判定されたときに、前記報知手段に対して前記特定制御と異なる制御を行なうことを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】０００９
【補正方法】変更
【補正の内容】
【０００９】
この発明は、かかる実情に鑑み考え出されたものであり、その目的は、遊技者にとって有利な状態中におけるメダルの純増数が最大となる可能性を極力高めて遊技者を満足させることができるスロットマシンを提供することである。
【手続補正４】
【補正対象書類名】明細書
【補正対象項目名】００１０
【補正方法】変更
【補正の内容】
【００１０】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記入賞のうち特別入賞（ビッグボーナス）が発生したときに、遊技者にとって有利な特別遊技状態（ビッグボーナス、レギュラーボーナス）に制御する特別遊技状態制御手段（入賞判定処理におけるボーナスに制御するための処理）と、
前記特別遊技状態の開始後、遊技者に付与された遊技用価値の総数である特別付与総数（メダル払出枚数）を計数する遊技用価値数計数手段（払出計数処理）と、
前記特別遊技状態において前記特別付与総数が所定の規定数（たとえば３５８枚）を超えたときに該特別遊技状態を終了させる特別遊技状態終了手段（ボーナス終了判定処理、ＣＺに制御するための処理）と、
表示結果が導出される前に入賞の発生を許容するか否かを決定する手段であって、前記特別遊技状態において第１付与数（１５枚）の遊技用価値の付与を伴う第１の種類の小役入賞（ベル、１５枚（１）〜１５（４））の発生が許容される許容決定結果のうち、前記第１付与数よりも小さい第２付与数（１４枚）の遊技用価値の付与を伴う第２の種類の小役入賞（１４枚（１）、１４枚（２））の発生が同時に許容されている同時許容決定結果に決定する同時決定手段（図７の１４枚（１）＋１４枚（２）＋１５枚（１）〜１５枚（４））と、前記許容決定結果のうち前記第２の種類の小役入賞の発生が許容されていない非同時許容決定結果に決定する非同時決定手段（図７のベル）とを含む事前決定手段（内部抽選処理）と、
遊技者が表示結果を導出させるために操作する導出操作手段（ストップスイッチ８Ｌ〜８Ｃ）と、
前記事前決定手段の決定結果および前記導出操作手段への操作に応じて、表示結果を導出させる制御を行なう導出制御手段（リール回転処理）と、
前記事前決定手段の決定結果に応じて、所定の情報を報知するための報知手段（液晶表示器５１、スピーカ５３、５４、演出効果ＬＥＤ５２）の制御を行なう報知制御手段（サブ制御部９１）と、
演出の制御を行なう演出制御手段とを備え、
前記特別遊技状態が終了したときにおいて、当該特別遊技状態で前記第１の種類の小役入賞が発生した回数と前記第２の種類の小役入賞が発生した回数とが特定条件（１５枚小役が２３回、１４枚小役が２回）を満たしているときには、該特定条件を満たしていないときよりも、当該特別遊技状態における特別付与総数と当該特別遊技状態において賭数の設定に用いられた遊技用価値の総数との差である純増数が大きくなる（最大となる）ように、前記規定数、前記第１付与数、および前記第２付与数各々が設定されており、
さらに、前記事前決定手段により前記特別遊技状態において前記同時許容決定結果に決定されたときに、前記第２の種類の小役入賞が当該特別遊技状態で発生した発生回数が前記特定条件を満たす特定回数であるか否かを判定する判定手段（図９のＳＡ０２）を備え
、
前記導出制御手段は、
前記事前決定手段により前記特別遊技状態において前記同時許容決定結果に決定されたときであって、所定の通常操作手順（左リール２Ｌを第１停止させる手順、左リール２Ｌを特殊タイミング以外のタイミングで停止させる手順）で前記導出操作手段が操作されたときには、前記第１の種類の小役入賞に対応する入賞表示結果（１５枚（１）〜（４）のいずれか）を導出させる制御を行ない、前記通常操作手順とは異なる所定の特殊操作手順（中リール２Ｃあるいは右リール２Ｒを第１停止させる手順でかつ左リール２Ｌを特殊タイミングで停止させる手順）で前記導出操作手段が操作されたときには、前記第２の種類の小役入賞に対応する入賞表示結果（１４枚（１）あるいは１４枚（２）のいずれか）を導出させる制御を行ない、
前記事前決定手段により前記特別遊技状態において前記非同時許容決定結果に決定されたときには、前記導出操作手段への操作手順に関わらず、前記第１の種類の小役入賞に対応する入賞表示結果（ベル）を導出させる制御を行ない、
前記報知制御手段は、
前記事前決定手段の決定結果が前記非同時許容決定結果であるときに、前記報知手段に対して当該非同時許容決定結果に応じた特定制御を行ない、
前記事前決定手段の決定結果が前記同時許容決定結果でありかつ前記判定手段により前記発生回数が前記特定回数であると判定されたときに、前記報知手段に対して前記特定制御と同一の制御を行ない、
前記事前決定手段の決定結果が前記同時許容決定結果でありかつ前記判定手段により前記発生回数が前記特定回数でないと判定されたときに、前記報知手段に対して前記特定制御と異なる制御を行なう。
【手続補正５】
【補正対象書類名】明細書
【補正対象項目名】００１１
【補正方法】変更
【補正の内容】
【００１１】
このような構成によれば、特別遊技状態において第１の種類の小役入賞が発生した回数と第２の種類の小役入賞が発生した回数とが特定条件を満たしていることにより、特定条件を満たしていないときよりも当該特別遊技状態における純増数を大きくすること、すなわち最大にすることができる。一方、第２の種類の小役入賞は、発生が許容されていたとしても、通常操作手順とは異なる所定の特殊操作手順で操作されなければ、対応する入賞表示結果を導出させることができず、発生させることができない。しかし、第２の種類の小役入賞が特定条件を満たす特定回数発生しておらず純増数が最大となる状態でないときには、事前決定手段により同時許容決定結果に決定されて第２の種類の小役入賞の発生が許容される度に、特定制御と異なる制御が報知手段に対して行なわれて、第２の種類の小役入賞の発生が許容されている旨を遊技者が認識可能となる。すなわち、特別遊技状態において純増数が最大となる状態に近づけさせることができる状況となる度に、その旨を遊技者に認識させることができる。その結果、純増数が最大となる状態に近づけさせることができる状況である旨を遊技者が認識し、第２の種類の小役入賞を発生させるべく特殊操作手順で操作したつもりが実際には特殊操作手順と異なる操作手順で操作が受付けられ、第２の種類の小役入賞を発生させることができなかったとしても、その後再び純増数が最大となる状態に近づけさせることができる状況になりさえすれば特殊操作手順で操作することに挑戦することができ、純増数が最大となる状態に近づけさせやすくすることができる。
【手続補正６】
【補正対象書類名】明細書
【補正対象項目名】００１２
【補正方法】変更
【補正の内容】
【００１２】
また、特別遊技状態において既に、第２の種類の小役入賞が特定回数発生しており以後第２の種類の小役入賞を発生させずに第１の種類の小役入賞を発生させさえすれば純増数が最大となる状態であるときには、事前決定手段により同時許容決定結果に決定されて第２の種類の小役入賞の発生が許容されたときであっても、特定制御と同一の制御が報知手段に対して行なわれる。すなわち、第２の種類の小役入賞を発生させる必要がないときには、事前決定手段による決定結果が同時許容決定結果であっても、報知制御手段により、引き続き特定制御と異なる制御が報知手段に対して行なわれるようなことがなく、事前決定手段による決定結果に関わらず非同時許容決定結果であるときと同じ態様で報知手段が制御される。このため、特別遊技状態において既に純増数が最大となる状態であるときには、報知手段の態様によって惑わせてしまうことや気にさせてしまうことなく、所定の通常操作手順で操作を行なわせることができ、第１の種類の小役入賞の発生が許容されているときには当該小役入賞に対応する入賞表示結果を導出させることができる。
【手続補正７】
【補正対象書類名】明細書
【補正対象項目名】００１３
【補正方法】変更
【補正の内容】
【００１３】
以上のように、特別遊技状態において、未だ純増数が最大となる状態でないときには、純増数が最大となる状態に近づけさせるように可能な限り遊技者に操作させ、純増数が最大となる状態に到達した以後においては、遊技者を報知手段に対して行なわれる制御によって惑わせてしまうことや気にさせてしまうことなく、当該状態が維持されるように通常操作手順で操作させることができる。このため、特別遊技状態における純増数が最大となる可能性を極力高めることができ、遊技者を満足させることができる。
【手続補正８】
【補正対象書類名】明細書
【補正対象項目名】０４２５
【補正方法】変更
【補正の内容】
【０４２５】
なお、本実施の形態における１４枚小役は、毎ゲーム行なわれる内部抽選において特殊入賞組合せに当選しなければ、たとえ特殊操作手順で操作したとしても、入賞しない。このため、ボーナス中において特殊操作手順で操作しさえすれば常に１４枚小役を入賞し得るものと比較して、本実施の形態におけるスロットマシンでは、内部抽選において１４小役に入賞可能となる特殊入賞組合せに当選することに対する期待感を遊技者に抱かせ遊技の興趣を向上させることができるとともに、ボーナス中のマンネリ化を防止することができる。